(57)【要約】【課題】奏者による木管楽器保持の安定化を図ることができ、演奏時の運指を補助することができるようにすること。【解決手段】クラリネットＣの指掛け部Ｓに装着される本体部１１と、この本体部１１に形成されて奏者の親指ＳＵが接触する接触面部１２と、この接触面部１２に連設された膨出部１３とを備えてサムレストクッション１０が構成されている。膨出部１３の最大膨出位置１３Ｐは、演奏姿勢の奏者が見たときに、クラリネットＣの管体Ｃ１の軸中心位置Ｏ１と指掛け部Ｓ先端とを結ぶ仮想線Ｌ１より親指ＳＵの指先側に変位した位置に設定されている。【選択図】図２
2011043660.tif 000002
【特許請求の範囲】
【請求項１】
木管楽器の指掛け部に装着される本体部と、この本体部に形成されて奏者の親指が接触する接触面部と、この接触面部に連設された膨出部とを備えたサムレストクッションであって、
前記膨出部の最大膨出位置は、演奏姿勢の奏者が見たときに、木管楽器の管体の軸中心位置と指掛け部先端とを結ぶ仮想線より前記親指の指先側に変位した位置に設定されていることを特徴とするサムレストクッション。
【請求項２】
前記接触面部は、演奏姿勢の奏者が見たときに、前記仮想線上に中心がある円弧状或いは楕円弧状の外縁を備え、この中心と前記膨出部の最大膨出位置とを結ぶ線と、前記仮想線とのなす角度が５°以上５０°以下に設定されていることを特徴とする請求項１記載のサムレストクッション。
【請求項３】
前記膨出部は、球面に沿う外周面形状に設けられていることを特徴とする請求項１又は２記載のサムレストクッション。
【請求項４】
前記膨出部は、演奏姿勢の奏者が見たときに、接触面部との境界位置が円弧状或いは楕円弧状に形成されていることを特徴とする請求項１，２又は３記載のサムレストクッション。
【発明の詳細な説明】
【技術分野】
【０００１】
本発明は、サムレストクッションに係り、更に詳しくは、木管楽器の指掛けに装着して奏者による木管楽器の保持をサポートするためのサムレストクッションに関する。
【背景技術】
【０００２】
従来より、クラリネット等の木管楽器が広く利用されるに至っている。このような楽器は、管体に連結されて外側に突出する指掛け部を備えており、この指掛け部を奏者の右手親指の上に乗せることにより楽器が支えられ、キイの押圧操作等を行えるようになっている。かかる指掛け部を利用した演奏にあっては、右手親指における指掛け部と接触する部分に局所的に負担が及ぶこととなり、木管楽器の安定した保持を行うことが困難になる傾向がある。そこで、右手親指への負担軽減を図るべく、指掛け部に装着可能なサムレストクッションが利用されており、公知のサムレストクッションとしては、図４及び図５に示されるものが知られている（非特許文献１参照）。
【０００３】
図４のサムレストクッション５０は、開口５１を通じて内部に前記指掛け部を受容可能に設けられている。サムレストクッション５０の同図中下面は、奏者の右手親指が接する接触面５０Ａとされ、この接触面５０Ａは平面に形成されている。
【０００４】
図５のサムレストクッション６０は、前記サムレストクッション５０と同様に開口６１を有する。図５（Ｂ）に示されるように、右手親指が接する接触面６０Ａは側面視円弧状に設けられ、これにより、接触面６０Ａの同図中右側に突出部６２が形成される。この突出部６２は、図５（Ａ）及び（Ｃ）中左右対称形状とされ、木管楽器Ｃの管体Ｃ１の軸中心位置Ｏ１と指掛け部Ｓ先端とを結ぶ仮想線Ｌ１上で最大高さとなるように形成されている。
【先行技術文献】
【非特許文献】
【０００５】
【非特許文献１】NICE INTERNATIONAL Co.,Ltd.、クラリネットワールド製品（CLARINET WORLD）、クラリネットワールド サムレストクッション、［online］、平成21年8月7日、インターネット〈URL：http://www.nice-international.jp/ClarinetWorld.htm〉
【発明の概要】
【発明が解決しようとする課題】
【０００６】
しかしながら、図４のサムレストクッション５０では、接触面５０Ａが平面とされるので、演奏時の運指により親指とサムレストクッション５０とが位置ずれし易くなる。このため、特に初心者にあっては、演奏中に木管楽器を十分に安定して保持することが困難になる、という不都合がある。
また、図５のサムレストクッション６０にあっては、人間工学的な見地から、接触面６０Ａの形状や、突出部６２の位置及び形状に起因して奏者に不自然で使い難さを感じさせる、という不都合を招来する。更に、奏者が木管楽器Ｃを構えたときに、突出部６２が親指にフィットせずに親指の手前側が先に突出部６２に当たるため、不自然な感触を伴って安定を欠く、という不都合がある。
【０００７】
［発明の目的］
本発明は、このような不都合に基づいて案出されたものであり、その目的は、奏者による楽器の保持の安定化を図ることができ、演奏時の運指を補助することができるサムレストクッションを提供することにある。
【課題を解決するための手段】
【０００８】
前記目的を達成するため、本発明は、木管楽器の指掛け部に装着される本体部と、この本体部に形成されて奏者の親指が接触する接触面部と、この接触面部に連設された膨出部とを備えたサムレストクッションであって、
前記膨出部の最大膨出位置は、演奏姿勢の奏者が見たときに、木管楽器の管体の軸中心位置と指掛け部先端とを結ぶ仮想線より前記親指の指先側に変位した位置に設定される、という構成を採っている。
【０００９】
本発明において、前記接触面部は、演奏姿勢の奏者が見たときに、前記仮想線上に中心がある円弧状或いは楕円弧状の外縁を備え、この中心と前記膨出部の最大膨出位置とを結ぶ線と、前記仮想線とのなす角度が５°以上５０°以下に設定される、という構成を採ることができる。
【００１０】
また、前記膨出部は、球面に沿う外周面形状に設けられる、という構成を採ってもよい。
【００１１】
更に、前記膨出部は、演奏姿勢の奏者が見たときに、接触面部との境界位置が円弧状或いは楕円弧状に形成されるとよい。
【発明の効果】
【００１２】
本発明によれば、前記仮想線より親指の指先側に変位した位置が膨出部の最大膨出位置とされるので、演奏時に、付け根側が楽器側から離れる方向になる親指に添うように膨出部を位置させることができる。これにより、演奏中に楽器を自然に安定して保持することができ、ひいては、親指以外の運指のスムース化に寄与することが可能となる。
【００１３】
また、前記仮想線と、接触面部外縁の中心と膨出部の最大膨出位置とを結ぶ線とのなす角度を前述のように設定したので、楽器を構えたときに、奏者の親指裏側（手の甲側）の反りや曲がりに添って膨出部を設けることができる。この状態で、膨出部は親指に触れたり触れなかったりするが、演奏時には膨出部を感じさせ易くすることができ、楽器保持の安定化を図りつつ奏者に安心感を付与することが可能となる。そして、演奏中の指の動きや位置によっては、膨出部が親指に接触して当該膨出部を介して楽器が支えられ、運指を補助することが可能となる。
【００１４】
更に、膨出部の外周面を球面に沿う形状にしたり、膨出部と接触面部との境界位置を円弧状等に形成することで、楽器保持の安定化をより良好に図ることができる。
【図面の簡単な説明】
【００１５】
【図１】実施形態に係るサムレストクッションの概略斜視図。
【図２】前記サムレストクッションを指掛けに装着した状態の平面図。
【図３】（Ａ）は、図２のＡ矢視図、（Ｂ）は、同図のＢ矢視図、（Ｃ）は、同図のＣ矢視図、（Ｄ）は、同図のＤ矢視図。
【図４】従来例に係るサムレストクッションの概略斜視図。
【図５】（Ａ）は、他の従来例に係るサムレストクッションの平面図、（Ｂ）は、図５（Ａ）のＥ矢視図、（Ｃ）は、図５（Ａ）のＦ矢視図。
【発明を実施するための形態】
【００１６】
以下、本発明の好ましい実施の形態について図面を参照しながら説明する。
【００１７】
図１〜図３において、サムレストクッション１０は、クラリネットＣの指掛け部Ｓに着脱自在に取り付け可能に設けられている。指掛け部Ｃ１は、クラリネットＣの管体Ｃ１に沿って設けられて当該管体Ｃ１連結される連結部Ｓ１と、この連結部Ｓ１に連なって管体Ｃ１から離れる方向に突出する突出部Ｓ２とを備えたアングル状に形成されている。
【００１８】
サムレストクッション１０は、指掛け部Ｓの突出部Ｓ２をカバーするように装着される本体部１１と、この本体部１１の図１中下面に形成される接触面部１２と、この接触面部１２に連設されて同図中下方に膨出する膨出部１３とを備えて構成されている。サムレストクッション１０は、弾力性を有する樹脂材等を用いて一体的に形成されている。
【００１９】
前記本体部１１は、突出部Ｓ２を受容する空間１５を内部に備えて当該突出部Ｓ２をカバーするように設けられている。具体的には、突出部Ｓ２の上方（図２中手前側）に位置する頂壁１６及び下方（同図中奥行き側）に位置する底壁１７と、これら頂壁１６及び底壁１７の間に設けられて突出部Ｓ２の外縁に沿う周壁１８と、頂壁１６、底壁１７及び周壁１８の図２中上端側に形成されて前記空間１５に通じる開口２０とを備えている。底壁１７の図１中下面は平面とされて前記接触面部１２を形成し、奏者の右手親指ＳＵの上に接触するようになっている。頂壁１６及び底壁１７は、図２中下方から上方に向かって半円より長い円弧状の外縁を備えている。この外縁を形成する円弧の中心Ｐ１は、クラリネットＣの管体Ｃ１の軸中心位置Ｏ１と突出部Ｓ２先端とを結ぶ仮想線Ｌ１上に設定されている。開口２０は、意図的な外力を付与することで、その開口面積を拡大可能に設けられ、外力を解除することで、図に示される開口形状に復帰可能となっている。これにより、開口２０を通じて空間１５に突出部Ｓ２の出し入れを許容し、空間１５内に突出部Ｓ２を受容させたときに不用意に脱落することを防止できるようになっている。
【００２０】
前記膨出部１３は、接触面部１２より図３（Ａ）〜（Ｄ）中下方に膨出するように設けられている。膨出部１３は、演奏姿勢の奏者が見たとき、すなわち、図２において、接触面部１２との境界位置１３Ａが円弧状に設けられている。膨出部１３の下面は、球面に沿う外周面形状に設けられている。膨出部１３の下方への最大膨出位置１３Ｐは、当該膨出部１３の形成領域における前記底壁１７外縁を形成する円弧の延出方向中央位置付近とされ、図２中前記仮想線Ｌ１より奏者の右手親指ＳＵの指先側すなわち同図中左側に変位した位置に設定されている。具体的には、前記円弧の中心Ｐ１と最大膨出位置１３Ｐとを結ぶ線Ｌ２と、前記仮想線Ｌ１とのなす角度θが３０°に設定されている。なお、前記角度θが５°以上５０°以下の範囲内において、膨出部１３の形成位置を変更してもよい。
【００２１】
従って、このような実施形態によれば、膨出部１３を前述した形成位置、形状に設定したので、奏者が右手親指ＳＵの上に接触面部１２を載せることで、クラリネットＣを安定して保持することができ、奏者の親指ＳＵ以外の運指を妨げたり、人間工学的見地から不自然で使い難くなることを防止することができる。具体的には、奏者がクラリネットＣを構えたときに、膨出部１３が右手親指ＳＵ裏側（手の甲側）の反りに添いつつ、通常は親指ＳＵと膨出部１３とが触れるか触れないくらいの位置関係にすることができる。演奏時には、奏者によって膨出部１３の存在が感じられるようになり、クラリネットＣの保持にあたり安定感及び安心感をもたらすことができ、また、右手親指ＳＵのアングルが前記仮想線Ｌ１に対し直角にならず、クラリネットＣに対し、親指ＳＵの付け根側がクラリネットＣから離れる方向に保たれるようになる。更に、演奏中の運指の態様によっては、親指ＳＵに掛かるように膨出部１３が接触し、この接触によってクラリネットＣが支えられてスムースな運指を補助することが可能となる。
【００２２】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、本発明は、クラリネットＣの他、オーボエ等の木管楽器に適用することができる。
【００２４】
また、接触面部１２を形成する底壁１７の外縁形状は、演奏姿勢の奏者が見たときに楕円弧状にする等、種々の変更が可能である。更に、前記境界位置１３Ａの形状も、楕円弧状等に変更してもよい。
【符号の説明】
【００２５】
１０・・・サムレストクッション、１１・・・本体部、１２・・・接触面部、１３・・・膨出部、１３Ｐ・・・最大膨出位置、Ｃ・・・クラリネット（木管楽器）、Ｓ・・・指掛け部、ＳＵ・・・親指
【図１】
2011043660.tif 000003
【図２】
2011043660.tif 000004
【図３】
2011043660.tif 000005
【図４】
2011043660.tif 000006
【図５】
2011043660.tif 000007